【手続補正書】
【提出日】平成23年1月4日(2011.1.4)
【手続補正１】
【補正対象書類名】特許請求の範囲
【補正対象項目名】全文
【補正方法】変更
【補正の内容】
【特許請求の範囲】
【請求項１】
ゴルフバッグであって、
本体とショルダーストラップアセンブリとストラップガイドアセンブリとを備えており、
前記本体は、
頂端部および底端部を備えた略筒状であり、前記本体の長手方向に沿って伸びるスピナル軸を備えており、
前記ショルダーストラップアセンブリは、
第１ショルダーストラップおよび第２ショルダーストラップを備えており、
前記第１ショルダーストラップは、前記本体の前記頂端部近傍の第１位置において前記本体に取り付けられる上端部と、前記本体の前記頂端部および前記底端部の中間の第２位置において前記本体に取り付けられる下端部を有し、
前記第２ショルダーストラップは、前記本体の前記頂端部近傍の第３位置において前記本体に取り付けられる上端部と、前記本体の前記頂端部および前記底端部の中間の第４位置において前記本体に取り付けられる下端部を有しており、
前記ストラップガイドアセンブリは、
前記第２ショルダーストラップと前記本体との間に動作可能に取り付けられる弾性部材を含んでおり、その弾性部材が、前記第２ショルダーストラップの中間部分と前記本体の前記頂端部および前記底端部の中間の第５位置との間に引張力を加えるゴルフバッグ。
【請求項２】
前記弾性部材は、前記第２ショルダーストラップに前記第２ショルダーストラップの前記上端部および下端部の中間においてスライド可能に取り付けられている請求項１に記載のゴルフバッグ。
【請求項３】
前記弾性部材は、孔を有するシャックルに取り付けられ、前記第２ショルダーストラップは、前記シャックルの前記孔内を通過している請求項２に記載のゴルフバッグ。
【請求項４】
前記弾性部材はゴムひもである請求項１から３のいずれか一項に記載のゴルフバッグ。
【請求項５】
前記第１位置が前記スピナル軸の第１側に向かって横方向にオフセットされているとともに、前記第２位置が前記スピナル軸の前記第１側とは反対側の第２側に向かって横方向にオフセットされることによって、前記第１ショルダーストラップが前記スピナル軸を横切って斜め方向に伸びており、
前記第３位置が前記スピナル軸の第２側に向かって横方向にオフセットされているとともに、前記第４位置が前記スピナル軸の前記第１側に向かってオフセットされることによって、前記第２ショルダーストラップが前記スピナル軸を横切って斜め方向に伸びるとともに前記第１ショルダーストラップと交差する請求項１から４のいずれか一項に記載のゴルフバッグ。
【請求項６】
前記弾性部材は、前記第２ショルダーストラップを前記スピナル軸の前記第１側に向かって付勢する請求項５に記載のゴルフバッグ。
【請求項７】
前記弾性部材は、
前記第２ショルダーストラップが降ろされているとき、前記第２ショルダーストラップを前記スピナル軸の前記第１側に向かって移動させるために十分な強度を有しており、
前記第２ショルダーストラップが背負われているとき、前記第２ショルダーストラップの前記中間部分が実質的に直線状に伸びるために十分な柔軟性を有する請求項６に記載のゴルフバッグ。
【請求項８】
ゴルフバッグであって、
本体とショルダーストラップアセンブリと付勢手段とを備えており、
前記本体は、
頂端部および底端部を備えた略筒状であり、前記本体の長手方向に沿って伸びるスピナル軸を備えており、そのスピナル軸によって第１側および第２側に分割されており、
前記ショルダーストラップアセンブリは、
第１ショルダーストラップおよび第２ショルダーストラップを備えており、
前記第１ショルダーストラップは、前記本体の前記頂端部近傍に前記本体に前記第１側部側に向かってオフセットされて取り付けられている上端部を有し、
前記第２ショルダーストラップは、前記本体の前記頂端部近傍に前記本体に前記第２側部側に向かってオフセットされて取り付けられている上端部を有しており、
前記付勢手段は、
前記第２ショルダーストラップの中間部を前記第１側に向かって付勢するゴルフバッグ。
【請求項９】
前記付勢手段は、前記第２ショルダーストラップの前記上端部および前記下端部の中間にスライド可能に取り付けられているストラップガイドアセンブリを備える請求項８に記載のゴルフバッグ。
【請求項１０】
前記第１ショルダーストラップは、前記本体に前記第２側に向かってオフセットされて取り付けられている下端部をさらに備え、
前記第２ショルダーストラップは、前記本体の頂端部および底端部の中間において前記本体に前記第１側に向かってオフセットされて取り付けられている下端部をさらに備える請求項８又は９に記載のゴルフバッグ。
【請求項１１】
前記ストラップガイドアセンブリは、前記本体と前記第２ショルダーストラップとの間に動作可能に取り付けられる弾性部材を備える請求項９に記載のゴルフバッグ。
【請求項１２】
前記ストラップガイドアセンブリは、前記弾性部材と前記第２ショルダーストラップとの間に配置されるシャックルをさらに備える請求項１１に記載のゴルフバッグ。
【請求項１３】
前記弾性部材はゴムひもである請求項１２に記載のゴルフバッグ。
【請求項１４】
前記シャックルは、前記第２ショルダーストラップが通過している孔を有する請求項１３に記載のゴルフバッグ。
【請求項１５】
ゴルフバッグであって、
本体とショルダーストラップアセンブリと付勢手段とを備えており、
前記本体は、
頂端部および底端部を備えた略筒状であり、前記本体の長手方向に沿って伸びるスピナル軸を備えており、前記スピナル軸によって第１側および前記第１側と反対側の第２側に分割されており、
前記ショルダーストラップアセンブリは、
第１ショルダーストラップおよび第２ショルダーストラップを備えており、
前記第１ショルダーストラップは、前記本体の前記頂端部近傍の第１位置において前記本体に前記第１側に向かって横方向にオフセットされて取り付けられている上端部と、前記本体の前記頂端部および前記底端部の中間の第２位置において前記本体に前記第２側に向かってオフセットされて取り付けられている下端部を有し、
前記第２ショルダーストラップは、前記本体の前記頂端部近傍の第３位置において前記本体に前記第２側に向かってオフセットされて取り付けられている上端部と、前記本体の前記頂端部および前記底部の中間の第４位置において前記本体に前記第１側に向かってオフセットされて取り付けられている下端部を有し、
前記第１ショルダーストラップおよび前記第２ショルダーストラップが、各々、スピナル軸を横切って斜め方向に伸びており、
前記付勢手段は、
前記第２ショルダーストラップの中間部を前記第１側に向かって付勢するゴルフバッグ。
【請求項１６】
前記付勢手段は、前記第２ショルダーストラップに前記第２ショルダーストラップの前記上端部および前記下端部の中間においてスライド可能に取り付けられているストラップガイドアセンブリを備える請求項１５に記載のゴルフバッグ。
【請求項１７】
前記ストラップガイドアセンブリは、シャックルに取り付けられている弾性部材を備える請求項１６に記載のゴルフバッグ。
【請求項１８】
前記シャックルは、前記第２ショルダーストラップが通過している孔を有する請求項１７に記載のゴルフバッグ。
【請求項１９】
前記弾性部材はゴムひもである、請求項１７又は１８に記載のゴルフバッグ。
【請求項２０】
前記ストラップガイドアセンブリは、前記本体の前記頂端部および前記底端部の中間の位置に取り付けられている請求項１６から１９のいずれ一項に記載のゴルフバッグ。